(57)【要約】【課題】複数の内容物を一体的に取り扱うための包装袋でありながら、複数の包装袋の一端どうしを接合する接合部を持ち手として機能させることにより、コストの上昇を抑えつつ、持ち運び時の良好な取り扱い性を確保する。【解決手段】内容物２を収容する包装袋１Ａであって、内容物２を収容する複数の包装袋１Ａの少なくとも一端どうしを、持ち運び時に持ち手として機能する接合部１２を介して接合した。【選択図】  図１
2011225246.tif 000002
【特許請求の範囲】
【請求項１】
内容物を収容する包装袋であって、
前記内容物を収容する複数の包装袋の少なくとも一端どうしを、持ち運び時に持ち手として機能する接合部を介して接合したことを特徴とする包装袋。
【請求項２】
前記接合部を回動中心として複数の前記包装袋を相対的に回動させることにより、各包装袋に収容された前記内容物どうしが横方向に並ぶ横並び形態と、縦方向に並ぶ縦並び形態とを選択可能にした請求項１記載の包装袋。
【請求項３】
横並び形態とした複数の前記包装袋の高さ方向両端どうしを接合する場合において、いずれか一端の接合を着脱自在な接合部材で行う請求項２記載の包装袋。
【請求項４】
縦並び形態とした複数の前記包装袋の幅方向両端どうしを接合する場合において、いずれか一端の接合を着脱自在な接合部材で行う請求項２記載の包装袋。
【請求項５】
前記接合部材は、両面テープ、粘着材又は面ファスナである請求項３又は４記載の包装袋。
【請求項６】
前記接合部より袋本体側に、所定の操作に応じて前記接合部と前記袋本体を分離させる分離部を備える請求項１〜５のいずれか一項に記載の包装袋。
【請求項７】
複数の前記包装袋の少なくとも対向する側部に、複数の前記包装袋の側部どうしを連結する耳部を形成し、該耳部に、所定の操作に応じて複数の前記包装袋の側部どうしを分離させる分離部を備える請求項１〜６のいずれか一項に記載の包装袋。
【請求項８】
前記分離部は、所定の切断操作に応じて切断されるミシン目であり、前記包装袋に対する前記内容物の収容前又は収容後に形成される請求項６又は７記載の包装袋。
【請求項９】
前記接合部は、把持用の孔を備える請求項１〜８のいずれか一項に記載の包装袋。
【発明の詳細な説明】
【技術分野】
【０００１】
本発明は、内容物を収容する包装袋に関し、特に、複数の内容物を一体的に取り扱うための包装袋に関する。
【背景技術】
【０００２】
各種の物品（内容物）を包装する包装材として、プラスチックフィルムなどで形成される包装袋が広く用いられている。例えば、特許文献１には、トイレットペーパーなどのロール製品を複数個まとめて収容可能な包装袋が示されている。トイレットペーパーは、軽量かつ小型の物品であるため、一つの包装袋に多くの個数（例えば、１２個）を収容することができる。また、特許文献１に示される包装袋の上部には、持ち手部材が接合されているので、持ち運び時の取り扱い性も優れている。
【先行技術文献】
【特許文献】
【０００３】
【特許文献１】特開２００５−１５３９５９号公報
【発明の概要】
【発明が解決しようとする課題】
【０００４】
しかしながら、特許文献１に示される包装袋では、持ち手部材を別途用意して袋本体に接合する必要があるので、部材点数や工数の増加によりコストが上昇するという問題がある。
【０００５】
また、特許文献１に示される包装袋では、複数の物品をあらかじめ決められた並び形態で収容するので、大型の物品に適用した場合、持ち運び時や収納時の取り扱い性が著しく低下する可能性がある。
【０００６】
例えば、６０ｃｍ×４２ｍの気泡シートをロール状に巻き取った大型のロール製品（直径３０ｃｍ×高さ６０ｃｍの円柱形）を一の包装袋に２個まとめて収容する場合について考えると、ロール製品どうしを横方向に並ぶ横並び形態で収容する方法と、縦方向に並ぶ縦並び形態で収容する方法とがある。
【０００７】
ここで、ロール製品どうしを横方向に並ぶ横並び形態で包装袋に収容した場合は、その縦横比（１：１＝６０ｃｍ：６０ｃｍ）が小さくなるので、持ち運び時の取り扱い性に優れる反面、底面積が大きくなるので、収納時の取り扱い性に劣るという問題がある。
【０００８】
一方、ロール製品どうしを縦方向に並ぶ縦並び形態で包装袋に収容した場合は、底面積が小さくなるので、収納時の取り扱い性に優れる反面、縦横比（４：１＝１２０ｃｍ：３０ｃｍ）が大きくなるので、持ち運び時の取り扱い性に劣るという問題がある。
【０００９】
本発明は、上記の事情にかんがみなされたものであり、複数の内容物を一体的に取り扱うための包装袋でありながら、複数の包装袋の一端どうしを接合する接合部を持ち手として機能させることにより、コストの上昇を抑えつつ、持ち運び時の良好な取り扱い性を確保できる包装袋の提供を目的とする。
【課題を解決するための手段】
【００１０】
上記目的を達成するため本発明の包装袋は、内容物を収容する包装袋であって、前記内容物を収容する複数の包装袋の少なくとも一端どうしを、持ち運び時に持ち手として機能する接合部を介して接合した構成としてある。
【発明の効果】
【００１１】
以上のように、本発明によれば、複数の内容物を一体的に取り扱うための包装袋でありながら、複数の包装袋の一端どうしを接合する接合部を持ち手として機能させることにより、コストの上昇を抑えつつ、持ち運び時の良好な取り扱い性を確保できる。
【図面の簡単な説明】
【００１２】
【図１】本発明の第一実施形態に係る包装袋の横並び形態を示す斜視図である。
【図２】本発明の第一実施形態に係る包装袋の縦並び形態を示す斜視図である。
【図３】本発明の第一実施形態に係る包装袋の横並び形態を示す平面図である。
【図４】本発明の第一実施形態に係る包装袋の変形例を示す斜視図である。
【図５】本発明の第二実施形態に係る包装袋の横並び形態を示す斜視図である。
【図６】本発明の第二実施形態に係る包装袋の変形例を示す斜視図である。
【図７】本発明の第三実施形態に係る包装袋の横並び形態を示す斜視図である。
【図８】本発明の第四実施形態に係る包装袋の横並び形態を示す斜視図である。
【発明を実施するための形態】
【００１３】
以下、本発明の実施形態について、図面を参照して説明する。
【００１４】
［第一実施形態］
図１は、本発明の第一実施形態に係る包装袋の横並び形態を示す斜視図、図２は、本発明の第一実施形態に係る包装袋の縦並び形態を示す斜視図である。
これらの図に示すように、本発明の第一実施形態に係る包装袋１Ａは、ポリエチレンなどのプラスチックフィルムで形成されており、内容物２を収容可能な袋本体１１を備えている。
【００１５】
袋本体１１は、例えば、一枚のプラスチックフィルムの側縁部どうしをヒートシール（熱融着）により接合して円筒形とした後、その両端部に形成される開口のいずれか一方をヒートシールで封止することにより形成される。
そして、他方の開口から内容物２を収容した後、当該開口をヒートシールで封止することにより、内容物２が包装袋１Ａによって包装される。
【００１６】
包装袋１Ａに収容する内容物２としては、持ち運び、収納、陳列、運送などに際し、複数個を一体的に取り扱うことが求められるとともに、横方向に並べたり、縦方向に並べることが可能な物品を想定している。
例えば、本実施形態の包装袋１Ａは、６０ｃｍ×４２ｍの気泡シートをロール状に巻き取った大型のロール製品（直径３０ｃｍ×高さ６０ｃｍの円柱形）を内容物２として収容するとともに、複数の内容物２を一体的に取り扱うことができるように形成される。
【００１７】
複数の内容物２を一体的に取り扱う場合は、持ち運び時の取り扱い性について十分に考慮する必要がある。特に、複数の大型物品を内容物２として収容する場合は、手で握ったり、腕に掛けることが可能な持ち手を包装袋１Ａに設けることが求められる。
【００１８】
そこで、本発明の実施形態においては、内容物２を収容する複数の包装袋１Ａの少なくとも一端どうしを接合部１２において接合し、持ち運び時に持ち手として機能するよう構成してある。
このようにすると、複数の内容物２を一体的に取り扱うための包装袋１Ａでありながら、複数の包装袋１Ａの一端どうしを接合する接合部１２を持ち手として機能させることにより、コストの上昇を抑えつつ、持ち運び時の良好な取り扱い性を確保できる。
【００１９】
また、複数の内容物２を一体的に取り扱う場合は、内容物２の並び形態に応じて取り扱い性が変わることを考慮する必要がある。
例えば、内容物２どうしを横方向に並ぶ横並び形態で包装した場合は、その縦横比（１：１＝６０ｃｍ：６０ｃｍ）が小さくなるので、持ち運び時の取り扱い性に優れる反面、底面積が大きくなるので、収納時の取り扱い性に劣るという問題がある。
一方、内容物２どうしを縦方向に並ぶ縦並び形態で包装した場合は、底面積が小さくなるので、収納時の取り扱い性に優れる反面、縦横比（４：１＝１２０ｃｍ：３０ｃｍ）が大きくなるので、持ち運び時の取り扱い性に劣るという問題がある。
【００２０】
そこで、本発明の実施形態においては、接合部１２を構成するシート材の柔軟性（可撓性）を利用して、接合部１２を回動中心として複数の包装袋１Ａを相対的に回動させることにより、各包装袋１Ａに収容された内容物２どうしが横方向に並ぶ横並び形態（図１参照）と、縦方向に並ぶ縦並び形態（図２参照）とを選択可能にしてある。
このようにすると、複数の内容物２を一体的に取り扱うための包装袋１Ａでありながら、複数の内容物２の並び形態を選択的に変更可能とすることにより、持ち運び時及び収納時において良好な取り扱い性を兼ね備えることができる。
【００２１】
接合部１２の接合方法は任意であるが、包装袋１Ａをプラスチックフィルムで形成する場合は、熱融着による接合が好ましい。ただし、テープによる接合、結束による接合等であってもよいことはもちろんである。
このようにすると、包装袋１Ａの一端どうしを簡単に接合できるだけでなく、接合部１２に適度な接合強度を確保し、接合部１２を持ち手として複数の内容物２を持ち運ぶことが可能になる。
なお、接合部１２の接合工程は、包装袋１Ａに対する内容物２の収容工程前であってもよいし、収容工程後であってもよい。
【００２２】
図３は、本発明の第一実施形態に係る包装袋の横並び形態を示す平面図である。
この図に示すように、接合部１２より袋本体１１側には、所定の操作に応じて接合部１２と袋本体１１を分離させる分離部１３を設けることが好ましい。
このようにすると、各内容物２を包装袋１Ａに収容したままの状態で容易に分離することができるので、各内容物２を包装状態のまま個別に持ち運んだり、収納することが可能になる。
なお、分離部１３は、包装袋１Ａの開封手段に兼用してもよい。このようにすると、包装袋１Ａの分離及び開封が同時に行われるので、開封時の手間を省くことができる。
また、分離部１３は、いずれか一方の包装袋Ａのみに形成するようにしてもよい。
【００２３】
分離部１３は、持ち運び時に作用する内容物２の荷重では分離されず、かつ、所定の操作に応じて分離されるように形成することが好ましい。
例えば、本実施形態の分離部１３は、所定の切断操作に応じて切断されるミシン目であり、持ち運び時に作用する内容物２の荷重では切断されない連結強度を確保している。
なお、ミシン目の形成工程は、包装袋１Ａに対する内容物２の収容工程前であってもよいし、収容工程後であってもよい。
【００２４】
図４は、本発明の第一実施形態に係る包装袋の変形例を示す斜視図である。
この図に示すように、接合部１２は、把持用の孔１４を備えることができる。例えば、接合部１２の接合面積を広くし、その中心部に横長状の孔１４を打ち抜き形成する。
このようにすると、接合部１２を持ち手として機能させるにあたり、接合部１２を手で握りやすくし、持ち運び時の取り扱い性をさらに向上させることができる。
なお、接合部１２における接合は、包装袋１Ａの一端どうしの全体にわたって行う必要はなく、例えば、横長状の孔１４の下部あるいは中央部の横方向において帯状に行ってもよい。
【００２５】
以上のように構成された第一実施形態によれば、内容物２を収容する包装袋１Ａであって、内容物２を収容する複数の包装袋１Ａの少なくとも一端どうしを、
持ち運び時に持ち手として機能する接合部１２を介して接合したので、複数の内容物２を一体的に取り扱うための包装袋１Ａでありながら、複数の包装袋１Ａの一端どうしを接合する接合部１２を持ち手として機能させることにより、コストの上昇を抑えつつ、持ち運び時の良好な取り扱い性を確保できる。
【００２６】
また、前記接合部１２を回動中心として複数の包装袋１Ａを相対的に回動させることにより、各包装袋１Ａに収容された内容物２どうしが横方向に並ぶ横並び形態と、縦方向に並ぶ縦並び形態とを選択可能にしたので、複数の内容物２を一体的に取り扱うための包装袋１Ａでありながら、複数の内容物２の並び形態を選択的に変更可能とすることにより、持ち運び時及び収納時において良好な取り扱い性を兼ね備えることができる。
【００２７】
また、接合部１２より袋本体１１側に、所定の操作に応じて接合部１２と袋本体１１を分離させる分離部１３を備えるので、各内容物２を包装袋１Ａに収容したままの状態で容易に分離することができる。これにより、各内容物２を包装状態のまま個別に持ち運んだり、収納することが可能になる。
【００２８】
また、本実施形態の分離部１３は、所定の切断操作に応じて切断されるミシン目であり、包装袋１Ａに対する内容物２の収容前又は収容後に形成されるので、包装袋１Ａに対する内容物２の収容工程前又は収容工程後に、ミシン目の形成工程を追加するだけで、包装袋１Ａに分離部１３を備えることができる。
【００２９】
また、接合部１２は、把持用の孔１４を備えることができるので、接合部１２を持ち手として機能させるにあたり、接合部１２を手で握りやすくし、持ち運び時の取り扱い性をさらに向上させることができる。
【００３０】
［第二実施形態］
つぎに、本発明の第二実施形態に係る包装袋１Ｂについて、図５及び図６を参照して説明する。ただし、前記実施形態と共通する部分については、前記実施形態と同一の符号を付与することにより、前記実施形態の説明を援用する。
【００３１】
図５は、本発明の第二実施形態に係る包装袋の横並び形態を示す斜視図、図６は、本発明の第二実施形態に係る包装袋の変形例を示す斜視図である。
これらの図に示すように、本発明の第二実施形態は、横並び形態又は縦並び形態とした複数の包装袋１Ｂの高さ方向両端どうし又は幅方向両端どうしを接合する場合において、いずれか一端の接合を着脱自在な接合部材１５で行う点が前記実施形態と相違している。
接合部材１５としては、例えば、二つの部材を着脱自在に接合可能な両面テープ、粘着材、面ファスナなどを用いることができる。
【００３２】
以上のように構成された第二実施形態によれば、複数の包装袋１Ｂの高さ方向又は幅方向両端どうしを接合するものでありながら、着脱自在な接合部材１５による接合を解除すれば、第一実施形態の包装袋１Ａと同様に、接合部１２を回動中心として複数の包装袋１Ｂを相対的に回動させることにより、各包装袋１Ｂに収容された内容物２どうしが横方向に並ぶ横並び形態と、縦方向に並ぶ縦並び形態とを選択することが可能になる。
しかも、第二実施形態では、横並び形態又は縦並び形態において、複数の包装袋１Ｂの高さ方向両端どうし又は幅方向両端どうしが接合されるので、横並び形態又は縦並び形態を安定的に保つことができ、その結果、持ち運び時や収納時の取り扱い性をさらに向上させることが可能になる。
【００３３】
［第三実施形態］
つぎに、本発明の第三実施形態に係る包装袋１Ｃについて、図７を参照して説明する。ただし、前記実施形態と共通する部分については、前記実施形態と同一の符号を付与することにより、前記実施形態の説明を援用する。
【００３４】
図７は、本発明の第三実施形態に係る包装袋の横並び形態を示す斜視図である。
この図に示すように、本発明の第三実施形態は、複数の包装袋１Ｃの少なくとも対向する側部に、複数の包装袋１Ｃの側部どうしを連結する耳部１６を形成し、該耳部１６に、所定の操作に応じて複数の包装袋１Ｃの側部どうしを分離させる分離部１７を備える点が前記実施形態と相違している。
分離部１７としては、例えば、所定の切断操作に応じて切断されるミシン目を用いることができる。
【００３５】
以上のように構成された第三実施形態によれば、複数の包装袋１Ｃの側部どうしを連結するものでありながら、分離部１７によって側部どうしの連結を解除すれば、第一実施形態の包装袋１Ａと同様に、接合部１２を回動中心として複数の包装袋１Ｃを相対的に回動させることにより、各包装袋１Ｃに収容された内容物２どうしが横方向に並ぶ横並び形態と、縦方向に並ぶ縦並び形態とを選択することが可能になる。
しかも、第三実施形態では、初期状態において、複数の包装袋１Ｃの側部どうしが連結されているので、横並び形態を安定的に保つことができ、その結果、持ち運び時の取り扱い性をさらに向上させることが可能になる。
【００３６】
図８は、本発明の第四実施形態に係る包装袋の横並び形態を示す斜視図である。
第一〜三の実施形態では、複数の包装袋１Ａ（１Ｂ，１Ｃ）の一端どうしを対向させた状態で、その一部を接合してあるが、本発明の第四実施形態では、図８に示すように、複数の包装袋１Ｄの一端どうしを上下に重ね合わせ、そのほぼ中央を接合してある。このように接合した場合には、接合部１２の下に手や腕を位置させることによって接合部付近を握ったり、引っ掛けたりすることが可能となる。
【００３７】
以上、本発明について、実施形態を示して説明したが、本発明は、上述した実施形態にのみ限定されるものではなく、各実施形態を組み合わせたものなど、種々の変更が可能であることは言うまでもない。
例えば、前記実施形態では、二つの包装袋を接合しているが、三つ以上の包装袋を接合してもよい。
【００３８】
また、前記実施形態では、分離部１３としてミシン目を用いているが、所定の操作に応じて分離可能であれば、例えば、ノッチ、Ｖ字状カット、レーザー加工等を施した任意の分離部１３を用いることができる。
【００３９】
また、延伸方向に沿って引き裂きが容易となるプラスチックフィルムを用いて包装袋を形成する場合は、延伸方向を分離予定線に沿わせることでミシン目に代えることができる。
【００４０】
また、分離部１３の形成位置も、上記実施形態のほか、例えば、図８に示すように接合部１２に幅を持たせ、その幅のある接合部１２の任意の位置に分離部１３を形成したり、接合部を二本形成し、二本の接合部の間に分離部を形成したりすることもできる。このようにすると、分離部１３から分離した個々の包装袋１Ｄは、密封状態を保つことができる。
さらに、接合部１２における接合は、包装する内容物の種類等に応じて、包装袋１Ａ，１Ｂ，１Ｃ，１Ｄの一端どうしの一部あるいは全体にわたって行うことができる。
【産業上の利用可能性】
【００４１】
本発明は、複数の内容物を一体的に取り扱うための包装袋に適用される。特に、持ち運び時や収納時において良好な取り扱い性が要求される大型物品用の包装袋に好適に用いることができる。
【符号の説明】
【００４２】
１Ａ  包装袋
１Ｂ  包装袋
１Ｃ  包装袋
１Ｄ  包装袋
２    内容物
１１  袋本体
１２  接合部（持ち手）
１３  分離部
１４  孔
１５  接合部材
１６  耳部
１７  分離部
【図１】
2011225246.tif 000003
【図２】
2011225246.tif 000004
【図３】
2011225246.tif 000005
【図４】
2011225246.tif 000006
【図５】
2011225246.tif 000007
【図６】
2011225246.tif 000008
【図７】
2011225246.tif 000009
【図８】
2011225246.tif 000010